【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定すると共に、前記光源の発光面が開口された光源収納部材と、
前記光源収納部材の開口面に取り付けられて前記光源からの光を特定の偏光にするための偏光フィルタと、
前記基板に当接状態で取り付けられるヒートパイプと、
を備えることを特徴とする画像表示装置の光源ユニット。
【請求項２】
前記画像表示装置は、遊技機に用い、遊技機に備える遊技盤の裏面側に遊技盤裏面構成部材を介して取り付けられ、
前記基板は、画像表示装置の表示領域の左右方向に亘って長尺に形成されると共に、前記光源をこの左右方向に沿って配設し、
前記ヒートパイプは、前記光源に沿って前記基板に当接状態で取り付けられると共に、ヒートパイプの放熱部が前記光源収納部材から左右方向の少なくとも一端より上方へ向けて突出するように形成され、前記光源収納部材から突出された該放熱部が前記遊技盤の前面側まで突出するように形成されることを特徴とする請求項１に記載の画像表示装置の光源ユニット。
【請求項３】
画像表示装置の前方となる遊技盤の表面側には画像表示装置の表示部を臨ませる開口窓部を有するセンタケースが配設され、
前記光源収納部材から突出されたヒートパイプの放熱部は、遊技盤を貫通して、前記センタケース内まで延設するように形成されることを特徴とする請求項２に記載の画像表示装置の光源ユニット。
【請求項４】
前記基板は、画像表示装置の表示領域の左右方向に亘って長尺に形成されると共に、前記光源をこの左右方向に沿って配設し、
前記ヒートパイプは、前記光源に沿って前記基板に当接状態で取り付けられると共に、ヒートパイプの放熱部が前記光源収納部材から左右方向の少なくとも一端より上方へ向けて突出するように形成され、前記光源収納部材から突出された該放熱部が画像表示装置のケース内に収まるように形成されることを特徴とする請求項１に記載の画像表示装置の光源ユニット。
【請求項５】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定すると共に、前記光源の発光面が開口された光源収納部材と、
前記光源収納部材の開口面に取り付けられて前記光源からの光を特定の偏光にするための偏光フィルタと、
前記基板に当接状態で取り付けられるペルチェ素子と、
を備えることを特徴とする画像表示装置の光源ユニット。
【請求項６】
後方より液晶表示パネルに光を照射して画像を表示する画像表示装置の光源ユニットであって、
光源ユニットは、
光を発光する光源と、
前記光源が取り付けられた金属材からなる基板と、
前記光源が取り付けられた基板を収納固定して密閉状態の中空空間を形成可能とすると共に、前記光源の発光面が開口された光源収納部材と、
前記光源収納部材の開口面に取り付けられて前記光源からの光を特定の偏光にするための偏光フィルタと、
前記中空空間に充填される非導電性液体と、
を備えることを特徴とする画像表示装置の光源ユニット。
【手続補正２】
【補正対象書類名】明細書
【補正対象項目名】００１０
【補正方法】変更
【補正の内容】
【００１０】
第２の発明は、第１の発明において、前記画像表示装置は、遊技機に用い、遊技機に備える遊技盤の裏面側に遊技盤裏面構成部材を介して取り付けられ、前記基板は、画像表示装置の表示領域の左右方向に亘って長尺に形成されると共に、前記光源をこの左右方向に沿って配設し、前記ヒートパイプは、前記光源に沿って前記基板に当接状態で取り付けられると共に、ヒートパイプの放熱部が前記光源収納部材から左右方向の少なくとも一端より上方へ向けて突出するように形成され、前記光源収納部材から突出された該放熱部が前記遊技盤の前面側まで突出するように形成される。
【手続補正３】
【補正対象書類名】明細書
【補正対象項目名】００１１
【補正方法】変更
【補正の内容】
【００１１】
第３の発明は、第２の発明において、画像表示装置の前方となる遊技盤の表面側には画像表示装置の表示部を臨ませる開口窓部を有するセンタケースが配設され、前記光源収納部材から突出されたヒートパイプの放熱部は、遊技盤を貫通して、前記センタケース内まで延設するように形成される。
【手続補正４】
【補正対象書類名】明細書
【補正対象項目名】００１２
【補正方法】変更
【補正の内容】
【００１２】
第４の発明は、第１の発明において、前記基板は、画像表示装置の表示領域の左右方向に亘って長尺に形成されると共に、前記光源をこの左右方向に沿って配設し、前記ヒートパイプは、前記光源に沿って前記基板に当接状態で取り付けられると共に、ヒートパイプの放熱部が前記光源収納部材から左右方向の少なくとも一端より上方へ向けて突出するように形成され、前記光源収納部材から突出された該放熱部が画像表示装置のケース内に収まるように形成される。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
第５の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定すると共に、前記光源の発光面が開口された光源収納部材と、前記光源収納部材の開口面に取り付けられて前記光源からの光を特定の偏光にするための偏光フィルタと、前記基板に当接状態で取り付けられるペルチェ素子と、を備える。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
第６の発明は、後方より液晶表示パネルに光を照射して画像を表示する画像表示装置の光源ユニットであって、光源ユニットは、光を発光する光源と、前記光源が取り付けられた金属材からなる基板と、前記光源が取り付けられた基板を収納固定して密閉状態の中空空間を形成可能とすると共に、前記光源の発光面が開口された光源収納部材と、前記光源収納部材の開口面に取り付けられて前記光源からの光を特定の偏光にするための偏光フィルタと、前記中空空間に充填される非導電性液体と、を備える。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、ヒートパイプの長さを十分に長くすることができ、放熱性を高められる。また、ヒートシンクの配設を容易にして、冷却性能を向上できる。遊技機の裏面側は島設備内であるので、熱がこもりがちであるが、遊技盤の表面は、ガラスが存在するだけで遊技者のいる空間と温度が同じ位であり、島設備内と比較して温度が低めであるので、ヒートパイプを遊技盤の前面まで突出させることで、ヒートパイプの放熱部の冷却性を高めることができ、光源を効果的に冷却可能である。
【手続補正１４】
【補正対象書類名】明細書
【補正対象項目名】００２４
【補正方法】変更
【補正の内容】
【００２４】
第３の発明では、ヒートパイプを画像表示装置の開口窓部を構成するセンタケースの部位まで突出させることで、ヒートパイプの放熱部の冷却性を高めることができ、光源を効果的に冷却可能である。
【手続補正１５】
【補正対象書類名】明細書
【補正対象項目名】００２５
【補正方法】変更
【補正の内容】
【００２５】
第４の発明では、画像表示装置の表示領域の左右方向に亘って長尺に形成した基板に光源をこの左右方向に沿って配設すると共に、この光源に沿ってヒートパイプを取り付けるので、光源の熱を的確に吸熱できる。また、ヒートパイプの放熱部を光源収納部材から左右方向の少なくとも一端より上方へ向けて突出するように形成したので、放熱性を高めることができる。
【手続補正１６】
【補正対象書類名】明細書
【補正対象項目名】００２６
【補正方法】変更
【補正の内容】
【００２６】
また、ヒートパイプの長さを長くしても、見栄えが良く、また、ケース外にヒートパイプが露出しないので、画像表示装置の取り扱いが容易である。
【手続補正１７】
【補正対象書類名】明細書
【補正対象項目名】００２７
【補正方法】変更
【補正の内容】
【００２７】
第５の発明では、光源を効率良く冷却することができる。
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
第６の発明では、光源を効率良く冷却することができる。